(57)【要約】【課題】大きな容量のメモリを必要とせず、継続した運転状態等のデータを迅速かつ簡単に読み出すことができる機器操作端末を提供する。【解決手段】機器１にデータ通信可能に接続される機器操作端末４であって、機器１から所定時間毎に送信される所定のデータを受信する受信部３２と、受信部３２によって受信されたデータを記憶する記憶部３３と、光学的に読み取り可能なコードＣを表示する表示部３５と、受信部３２によってデータが受信される度に、当該データを記憶部３３に記憶させるとともに当該データをコードＣに変換して表示部３５に表示させ、その後、表示済みのデータを記憶部３３から消去させる第１の制御部３１とを備えている。【選択図】図２
2018107657.tif 000002
【特許請求の範囲】
【請求項１】
機器（１）にデータ通信可能に接続される機器操作端末であって、
前記機器（１）から所定時間毎に送信される所定のデータを受信する受信部（３２）と、
前記受信部（３２）によって受信された前記データを記憶する記憶部（３３）と、
光学的に読み取り可能なコード（Ｃ）を表示する表示部（３５）と、
前記受信部（３２）によって前記データが受信される度に、当該データを前記記憶部（３３）に記憶させるとともに当該データを前記コード（Ｃ）に変換して前記表示部（３５）に表示させ、その後、表示済みの前記データを前記記憶部（３３）から消去させる第１の制御部（３１）と、
を備えている、機器操作端末。
【請求項２】
前記第１の制御部（３１）は、前記機器（１）から送信された新たな前記データを前記記憶部（３３）に記憶させる前に、直前に前記表示部（３５）に表示された前記データを消去する、請求項１に記載の機器操作端末。
【請求項３】
前記記憶部（３３）は、複数の前記データを記憶可能な容量を有し、
前記第１の制御部（３１）は、前記機器（１）から送信された新たな前記データを前記記憶部（３３）に記憶させる前に、前記記憶部（３３）から最も古い前記データを消去する、請求項１に記載の機器操作端末。
【請求項４】
前記記憶部（３３）は、複数の前記データを記憶可能な容量を有し、
前記第１の制御部（３１）は、前記機器（１）に発生した特定の事象に関連する前記データを前記記憶部（３３）から消去せずに保持させる、請求項１又は３に記載の機器操作端末。
【請求項５】
前記所定のデータは、前記機器（１）の試運転時に測定されるデータである、請求項１〜４のいずれか１項に記載の機器操作端末。
【請求項６】
前記第１の制御部（３１）における処理を実行させるための入力を受け付ける入力部（３４）をさらに備えている、請求項１〜５のいずれか１項に記載の機器操作端末。
【請求項７】
前記表示部（３５）に前記コード（Ｃ）を表示させる時間の入力を受け付ける入力部（３４）をさらに備えている、請求項１〜６のいずれか１項に記載の機器操作端末。
【請求項８】
請求項１〜７のいずれか１項に記載の機器操作端末（４）と、情報処理端末（５）とを備え、
前記情報処理端末（５）は、
前記機器操作端末（４）の表示部（３５）に表示されたコード（Ｃ）を光学的に読み取る撮像部（５２）と、
前記撮像部（５２）で読み取った前記コード（Ｃ）を所定のデータに復元する第２の制御部（５１）とを有している、情報処理システム。
【請求項９】
請求項８に記載の機器操作端末（４）及び情報処理端末（５）と、前記機器操作端末（４）にデータ通信可能に接続される機器（１）とを備え、
前記機器（１）は、
所定のデータを測定する測定部（２４）と、
前記測定部（２４）によって測定された前記データを記憶する記憶部（２３）と、
前記記憶部（２３）に記憶された前記データを所定時間毎に前記機器操作端末（４）に送信する送信部（２２）と、を備えている、情報処理システム。
【請求項１０】
前記情報処理端末（５）は、復元した複数のデータを蓄積する記憶部（５３）を備えている、請求項８又は９に記載の情報処理システム。
【請求項１１】
前記第１の制御部（３１）は、前記情報処理端末（５）が前記コード（Ｃ）を読み取るまで前記表示部（３５）に前記コード（Ｃ）を表示させる、請求項８〜１０のいずれか１項に記載の情報処理システム。
【請求項１２】
前記情報処理端末（５）は、前記コード（Ｃ）の読み取りが完了した旨の完了情報を送信する送信部を備え、
前記機器操作端末（４）は、前記情報処理端末（５）から送信された前記完了情報を受信する受信部を備え、
前記第１の制御部（３１）は、前記完了情報の受信に基づいて前記表示部（３５）に対する当該コード（Ｃ）の表示を終了する、請求項１１に記載の情報処理システム。
【請求項１３】
所定のデータを測定する測定部（２４）と、
前記測定部（２４）によって測定された前記データを記憶する記憶部（２３）と、
光学的に読み取り可能なコードを表示する表示部（３５）と、
所定時間毎に前記データを前記記憶部（２３）に記憶させるとともに当該データを前記コードに変換して前記表示部（３５）に表示させ、その後、表示済みの前記データを前記記憶部（２３）から消去させる制御部（３１）と、を備えている、機器。
【発明の詳細な説明】
【技術分野】
【０００１】
本発明は、空気調和装置や空気清浄装置等の機器に適用することができる機器操作端末、当該機器操作端末を含む情報処理システム、及び当該機器に関するものである。
【背景技術】
【０００２】
ビル等の建物に設置される設備機器、例えば空気調和装置は、設置された後に試運転が行われ、吸込温度、吹出温度、冷媒吐出圧力、吸入圧力、運転電流値等のデータから運転が正常に行われているか否かの確認が行われる。従来、試運転時に測定される各種のデータは、室内機又は室外機の制御部に備わったメモリに記憶され、この制御部に接続したパーソナルコンピュータ等の処理装置に読み出され、処理装置において運転状態の解析等が行われている。
【０００３】
この従来方法は、制御部に処理装置を接続してデータを読み出すという煩雑な動作を伴い、データの取得にも時間を要する。また、ある程度の高い技術や知識がなければデータを取得することが困難である。
【０００４】
一方、下記特許文献１には、空調機器等の設備機器と、設備操作端末（リモートコントローラ）と、携帯電話等の情報処理端末とを備えた設備管理システムが提案されており、設備機器の運転状態データは、設備操作端末における記憶部（メモリ）に記憶され、設備操作端末は運転状態データを２次元コードに変換して表示部に出力する。そして、設備操作端末に表示された２次元コードを情報処理端末の撮像部（カメラ）で読み取り、情報処理端末において２次元コードを解読して所定のデータ形式に変換している。したがって、設備機器にパーソナルコンピュータ等を直接接続する必要が無く、設備操作端末で表示した２次元コードを情報処理端末で読み取ることで運転状態データの取得を短時間で簡単に行うことができる。
【先行技術文献】
【特許文献】
【０００５】
【特許文献１】特開２０１２−１１３３６５号公報
【発明の概要】
【発明が解決しようとする課題】
【０００６】
しかしながら、特許文献１に記載された技術では、設備操作端末に運転状態データを蓄積するため、容量の大きなメモリが必要となる。一般的な設備操作端末には、容量の小さなメモリしか搭載されていないため、特許文献１に記載された技術を適用するには、容量の大きなメモリを搭載する必要があり、製品のコストが増大する。
【０００７】
本発明は、大きな容量のメモリを必要とせず、継続した運転状態等のデータを迅速かつ簡単に読み出すことができる機器操作端末、情報処理システム、及び機器を提供することを目的とする。
【課題を解決するための手段】
【０００８】
本発明は、機器にデータ通信可能に接続される機器操作端末であって、
前記機器から所定時間毎に送信される所定のデータを受信する受信部と、
前記受信部によって受信された前記データを記憶する記憶部と、
光学的に読み取り可能なコードを表示する表示部と、
前記受信部によって前記データが受信される度に、当該データを前記記憶部に記憶させるとともに当該データを前記コードに変換して前記表示部に表示させ、その後、表示済みの前記データを前記記憶部から消去させる第１の制御部と、
を備えている、機器操作端末。
【０００９】
上記構成によれば、機器から送信されるデータを光学的に読み取り可能なコードに変換し、そのコードを表示部に表示することによって、カメラ等の光学読取装置によってコードを読み取らせ、運転状態の把握等のために活用することができる。また、コードが表示された後、当該コードに係るデータは記憶部から消去される。例えば、次の新しいデータが機器から送信されたとき、当該データが記憶部に記憶される前に、表示済みのデータが記憶部から消去される。そのため、所定時間毎に送信されるデータが記憶部で大量に蓄積されることもなく、記憶部の容量を可及的に小さくすることができる。なお、コードが表示された後に記憶部から消去されるデータは、受信された状態のデータであってもよいし、コードに変換された状態のデータであってもよい。
【００１０】
前記第１の制御部は、前記機器から送信された新たな前記データを前記記憶部に記憶させる前に、直前に前記表示部に表示された前記データを消去することが好ましい。
このような構成によって、記憶部には、実質的に新しいデータのみが記憶されることになり、記憶部の容量をより小さくすることができる。
【００１１】
前記記憶部は、複数の前記データを記憶可能な容量を有し、
前記第１の制御部は、前記機器から送信された新たなデータを前記記憶部に記憶させる前に、前記記憶部から最も古いデータを消去することが好ましい。
このような構成によって、過去に遡って運転状態等のデータを確認することが可能となる。
【００１２】
前記記憶部は、複数の前記データを記憶可能な容量を有し、
前記第１の制御部は、前記機器に発生した特定の事象に関連する前記データを前記記憶部から消去せずに保持させることが好ましい。
このような構成によって、例えば異常運転等の特定の事象が機器に発生したときに、そのときのデータ又はその直前のデータを記憶部に保持させることができ、後から異常の発生原因の究明のために当該データを活用することができる。
【００１３】
前記所定のデータは、前記機器の試運転時に測定されるデータであってもよい。
このような構成によって、機器を設置した後等に行われる試運転時の機器の運転状態のデータを容易に取得して把握することができる。
【００１４】
機器操作端末は、前記第１の制御部における処理を実行させるための入力を受け付ける入力部をさらに備えていることが好ましい。
【００１５】
機器操作端末は、前記表示部に前記コードを表示させる時間の入力を受け付ける入力部をさらに備えていてもよい。
これによって、所望の時間、表示部にコードを表示させることができる。
【００１６】
本発明の情報処理システムは、上記の機器操作端末と、情報処理端末とを備え、
前記情報処理端末は、
前記機器操作端末の表示部に表示されたコードを光学的に読み取る撮像部と、
前記撮像部で読み取ったコードを所定のデータに復元する第２の制御部とを有しているものである。
このような構成によって、機器操作端末の表示部に表示されたコードを、情報処理端末の撮像部で迅速かつ簡単に読み取り、そのコードからデータを復元することができる。
【００１７】
本発明の情報処理システムは、上記の機器操作端末及び情報処理端末と、前記機器操作端末にデータ通信可能に接続される機器とを備え、
前記機器は、
所定のデータを測定する測定部と、
前記測定部によって測定された前記データを記憶する記憶部と、
前記記憶部に記憶されたデータを所定時間毎に前記機器操作端末に送信する送信部と、を備えているものである。
この構成によれば、機器は、運転状態等に関するデータを一定時間毎に測定して機器操作端末に送信し、機器操作端末は、受信したデータをコードに変換して表示し、情報処理端末は、表示されたコードを読み取って当該コードを元のデータに復元することができる。
【００１８】
前記情報処理端末は、復元した複数のデータを蓄積する記憶部を備えていることが好ましい。
このような構成によって、機器の連続した運転状態等のデータを情報処理端末で蓄積し、データ解析等に供することができ、例えば機器の異常運転が発生したときの状態も情報処理端末において事後的に把握することができる。
【００１９】
前記第１の制御部は、前記情報処理端末が前記コードを読み取るまで前記表示部に前記コードを表示させることもできる。
この場合、前記情報処理端末は、前記コードの読み取りが完了した旨の完了情報を送信する送信部を備え、前記機器操作端末は、前記情報処理端末から送信された前記完了情報を受信する受信部を備え、前記第１の制御部は、前記完了情報の受信に基づいて前記表示部に対する当該コードの表示を終了するように制御することが好ましい。
これによって、確実に情報処理端末にコードを読み取らせることができる。
【００２０】
本発明の機器は、所定のデータを測定する測定部と、
前記測定部によって測定された前記データを記憶する記憶部と、
光学的に読み取り可能なコードを表示する表示部と、
所定時間毎に前記データを前記記憶部に記憶させるとともに当該データを前記コードに変換して前記表示部に表示させ、その後、表示済みの前記データを前記記憶部から消去させる制御部と、を備えているものである。
【発明の効果】
【００２１】
本発明によれば、大きな容量の記憶部を必要とせず、継続した運転状態等のデータを迅速かつ簡単に読み出すことができる。
【図面の簡単な説明】
【００２２】
【図１】本発明の一実施形態に係る情報処理システムの概略構成図である。
【図２】情報処理システムを示すブロック図である。
【図３】機器操作端末の制御部を機能的に示すブロック図である。
【図４】情報処理端末の制御部を機能的に示すブロック図である。
【図５】情報処理システムの処理手順を示すフローチャートである。
【発明を実施するための形態】
【００２３】
以下、図面を参照して本発明の実施形態を説明する。
［情報処理システムの全体構成］
図１は、本発明の一実施形態に係る情報処理システムの概略構成図である。
情報処理システムは、機器１と、機器操作端末４と、情報処理端末５とを備えている。本実施形態の機器１は、空気調和装置であり、蒸気圧縮式の冷凍サイクル運転を行うことで室内の温度や湿度等を調整する。なお、機器１は、空気調和装置に限定されるものではなく、給湯装置、調湿装置等の設備機器、或いは、洗濯機、調理器等の家電機器であってもよい。
【００２４】
空気調和装置１は、室外機２と、室内機３とを備えている。
室外機２は、屋外に設置され、冷媒を圧縮する圧縮機、外気と冷媒との間で熱交換させる熱交換器、冷媒の流れを制御するバルブ、室外機内に外気を取り入れるファン、及び圧縮機やファンやバルブ等の動作を制御する制御部等を備えている。
【００２５】
室内機３は、室内の天井に設置され、冷媒配管と電気配線とによって室外機２に接続されている。室内機３は、室内空気と冷媒との間で熱交換させる熱交換器、冷媒の流れを制御するバルブ、室内空気を取り入れるファン、及びファンやバルブ等の動作を制御する制御部等を備えている。
【００２６】
室内機３は、ファンの作動によって室内空気の取入口３ａから空気を取り入れ、熱交換後の空気を吹出口３ｂから吹き出すように構成されている。室内機３と室外機２とを接続する電気配線は、両者の間で信号の送受信を行うための通信線を含む。なお、室内機３は、天井に設置されるものに限らず、壁面に取り付けられるもの、床に載置されるもの等であってもよい。
【００２７】
機器操作端末４は、所謂リモートコントローラであり、室内機３に電気配線６を介して通信可能に接続され、室内機３を遠隔操作可能である。機器操作端末４は、例えば室内の壁面７に取り付けられる。機器操作端末４は、ケーシング４ｃの前面に、液晶パネル４ａと、複数の操作スイッチ４ｂとを備えている。液晶パネル４ａは、機器操作端末４の前面の略中央に配置され、その上下と右側とにそれぞれ操作スイッチ４ｂが設けられている。液晶パネル４ａには、冷房、暖房等の運転態様、設定温度、風量、風向等が表示される。
【００２８】
操作スイッチ４ｂは、空気調和装置１のオンオフスイッチ、運転態様や設定温度等を切り替えるための切替スイッチ等を含む。また、操作スイッチ４ｂは、空気調和装置１を試運転させるための運転スイッチを含む。この操作スイッチ４ｂを介して各種の情報を機器操作端末４に入力し、室内機３に送信することができる。室内機３及び室外機２は、機器操作端末４から送信された情報に基づいて動作する。なお、機器操作端末４は、室内機３に対して無線通信可能に接続されていてもよい。
【００２９】
情報処理端末５は、例えば携帯電話やスマートフォン等の携帯情報端末により構成される。情報処理端末５は、機器操作端末４の液晶パネル４ａに表示された情報であるコードＣを読み取る機能を備え、読み取った情報を用いて空気調和装置１の管理等を行う。
【００３０】
［情報処理システムに関する具体的構成］
図２は、情報処理システムを示すブロック図である。
（空気調和装置）
空気調和装置１は、情報処理システムに関する構成として、制御部２１と、通信部２２と、記憶部２３と、測定部２４とを有している。なお、これらの構成は、室内機３及び室外機２の両方又は一方が具備しているものとする。制御部２１は、マイクロコンピュータ等により構成され、ＣＰＵ等の演算部、ＲＯＭやＲＡＭ等の記憶部を備え、空気調和装置１の全体の制御を行う。また、制御部２１は、機器操作端末４からの操作指示等に基づいて通信部２２、記憶部２３、及び測定部２４等を制御する。また、制御部２１は、機器操作端末４から試運転の実行指示が送信されると、空気調和装置１の試運転を開始させる。
【００３１】
通信部２２は、所定の通信インタフェースで構成され、機器操作端末４の通信部３２とデータ通信可能に接続される。この通信部２２は、後述するように機器操作端末４に所定の測定データ（運転状態データ）を送信するための送信部を構成する。
【００３２】
測定部２４は、運転状態を示すデータ（以下、「運転状態データ」ともいう）を測定するためのセンサ等からなる。例えば、測定部２４は、室内空気の吸込温度や吹出温度等を測定する温度センサ、圧縮機の冷媒吐出圧力や冷媒吸入圧力等を測定する圧力センサ、運転電流等を測定する電流計等からなる。測定部２４は、空気調和装置１が運転を行っている間、常時、運転状態データを測定することができる。なお、運転状態データは、空気調和装置１をビル等に設置した後の試運転においても測定され、空気調和装置１が適切に運転されているかを確認するために利用される。
【００３３】
記憶部２３には、空気調和装置１に関する各種データが記憶される。例えば、記憶部２３には、出荷時点における製品の情報（製品名や仕様等）が記憶される。また、記憶部２３には、出荷後に取得された情報、例えば現地据付時の設定情報（冷媒追加充填量等）、工事者情報、購入者情報等も記憶される。さらに、記憶部２３には、空気調和装置１の運転開始後に取得された情報、例えば運転開始時期、積算運転時間、運転モード、運転状態、異常状態（故障）等についての情報が記憶される。なお、制御部２１は、機器操作端末４からの送信要求に基づいて、記憶部２３に記憶されたデータを通信部２２を介して機器操作端末４へ送信するように記憶部２３及び通信部２２を制御することができる。
【００３４】
（機器操作端末４）
機器操作端末４は、制御部３１と、通信部３２と、記憶部３３と、入力部３４と、表示部３５とを備えている。
通信部３２は、所定の通信インタフェースで構成され、空気調和装置１の通信部２２とデータ通信可能に接続されている。特に、通信部３２は、室内機３の通信部に直接的に接続され、室内機３との間でデータの送信と受信とが可能である。なお、通信部３２は、空気調和装置１から送信された運転状態データを受信するための受信部を構成している。
【００３５】
入力部３４は、上述した操作スイッチ４ｂ等により構成され、ユーザーからの入力操作を受け付けるものである。
表示部３５は、上述した液晶パネル４ａにより構成され、空気調和装置１の運転状態の表示や、ユーザーの操作のための表示等を行う。また、表示部３５は、後述する運転状態データについてのコードＣ（図１参照）の表示も行う。
なお、入力部３４は、表示部３５を構成するタッチパネルによって構成されていてもよく、この場合、入力部３４と表示部３５とが少なくとも一部において兼用されることになる。
【００３６】
制御部３１は、マイクロコンピュータ等により構成され、ＣＰＵ等の演算部、ＲＯＭやＲＡＭ等の記憶部を備え、機器操作端末４全体の制御を行う。また、制御部３１は、図３に示すように、機能的には、機器管理部４１、コード生成部４２、コード表示指示部４３、消去部４４、タイマー部４５等を有している。これらの機能は、演算部が記憶部に導入されたアプリケーションプログラムを実行することによって実現される。
【００３７】
機器管理部４１は、入力部３４を介して入力された空気調和装置１に対する指示を通信部２２を介して空気調和装置１に送信する機能を有する。この指示には、空気調和装置１を試運転させる指示を含む。空気調和装置１は、送信された運転指示に基づいて運転を行う。また、機器管理部４１は、通信部２２を介して空気調和装置１から運転状態データを含む各種データを取得し、記憶部３３に記憶させる機能等をも有する。
【００３８】
コード生成部４２は、記憶部３３に記憶された各種データを光学的に読み取り可能な所定のコードに変換する機能を有する。例えば、コード生成部４２は、各種データをマトリックス形式の２次元コードに変換する。２次元コードとしては、ＱＲコード（登録商標）を採用することができる。ただし、コード生成部４２は、２次元コードに限らず、１次元コード（バーコード）等の他のコードを生成するものであってもよい。
【００３９】
コード表示指示部４３は、コード生成部４２によって生成されたコードを表示させるように表示部３５を制御する機能部である。
消去部４４は、表示部３５に表示されたコードに係る運転状態データを記憶部３３から消去させるように記憶部３３を制御する機能部である。特に、本実施形態における消去部４４は、記憶部３３におけるデータの蓄積を抑制するため、空気調和装置１から新たなデータが送信される直前に、表示部３５に表示されたコードに係る運転状態データを記憶部３３から消去させる。
【００４０】
タイマー部４５は、時間を計測することによって、運転状態データの送信を空気調和装置１に指示するタイミングや、表示部３５にコードを表示させるタイミング、コードの表示を終えるタイミング、記憶部３３に記憶された運転状態データを消去するタイミング等を取得する機能を有する。
【００４１】
（情報処理端末５）
図２に示すように、情報処理端末５は、制御部５１と、撮像部５２と、記憶部５３と、表示部５４とを備えている。
撮像部５２は、所謂デジタルカメラであり、ＣＣＤやＣＭＯＳ等の撮像素子を備え、この撮像素子が取り込んだ光を電気信号に変換して画像を生成する。特に、本実施形態では、撮像部５２が、機器操作端末４の表示部３５に表示されたコードＣを撮像することによって、機器操作端末４から所定のデータを迅速かつ簡単に取得することができる。
【００４２】
記憶部５３は、撮像部５２で生成された画像や、画像から取得されたデータを記憶する。また、記憶部５３は、後述するように機器操作端末４から定期的に取得したデータを時系列で蓄積することができる。
表示部５４は、液晶パネルやタッチパネル等からなり、文字データや画像データ等の各種の情報を表示する。
【００４３】
制御部５１は、ＣＰＵ等の演算部、ＲＯＭやＲＡＭ等の記憶部を備え、情報処理端末５全体の制御を行う。また、制御部５１は、図４に示すように、機能的には、データ復元部６１、データ保存指示部６２、データ解析部６３、データ表示指示部６４等を備えている。これらの機能は、演算部が記憶部に導入されたアプリケーションプログラムを実行することによって実現される。
【００４４】
データ復元部６１は、撮像部５２によって撮像されたコードＣを元のデータに復元する機能を有する。コードＣには、空気調和装置１の運転状態データ、例えば温度データ、圧力データ、電流値データ等が含まれている。データ復元部６１は、コードを解読することによってコードに含まれている数値データ等を復元する。
【００４５】
データ保存指示部６２は、コードから復元した各種データを記憶させるように記憶部５３を制御する。
データ解析部６３は、記憶部５３に記憶されたデータを解析する機能を有する。例えば、データ解析部６３は、空気調和装置１の運転状態データを解析し、その結果、正常運転・異常運転を示す情報や運転効率等の情報を生成する。
データ表示指示部６４は、記憶部５３に記憶されたデータやその解析結果をグラフやテーブル等の所定の形式で表示させるように表示部５４を制御する。
【００４６】
［情報処理システムの処理手順］
図５は、情報処理システムの処理手順を示すフローチャートである。このフローチャートは、ビル等に空気調和装置１を設置した後、試運転を行う際の手順を示している。なお、この手順はあくまで一例であり、本発明の情報処理システムは当該手順に限定されるものではない。
【００４７】
本実施形態では、機器操作端末４に試運転の開始の指示を入力することによって試運転が開始されるようになっている。図５において、機器操作端末４の制御部３１は、操作スイッチ４ｂ等からの試運転開始の入力を受け付けると、通信部３２を介して空気調和装置１に試運転開始指示を送信する（ステップＳ２１）。空気調和装置１の制御部２１は、通信部２２が機器操作端末４から試運転開始の指示を受信したことを確認すると（ステップＳ１１）、試運転を開始させる（ステップＳ１２）。
【００４８】
空気調和装置１は、試運転を行っている間、測定部２４によって運転状態についての所定のデータ、例えば、温度、圧力、運転電流値等を測定する（ステップＳ１３）。
一方、機器操作端末４は、空気調和装置１に対して測定されたデータの送信を要求する旨の情報を送信する（ステップＳ２２）。
空気調和装置１の制御部２１は、通信部２２がデータ送信要求を受信すると、測定部２４において測定されたデータを機器操作端末４に送信する（ステップＳ１５）。空気調和装置１の制御部２１は、データを送信した後、機器操作端末４から試運転終了指示を受信したか否かを判断し（ステップＳ１６）、試運転終了指示を受信していない場合は、データ測定（ステップＳ１３）を再び行う。
【００４９】
機器操作端末４の制御部３１は、受信したデータを記憶部３３に記憶させ（ステップＳ２４）、その後、コード生成部４２の機能により光学的に読み取り可能なコードを生成する（ステップＳ２５）。さらに、制御部３１は、生成されたコードを表示部３５に表示させる（ステップＳ２６）。
【００５０】
その後、機器操作端末４の制御部３１は、データを受信してから所定の時間、例えば、３０秒が経過したこと確認すると、表示部３５におけるコードＣの表示を終え、記憶部３３に記憶したデータを削除する（ステップＳ２８）。その後、制御部３１は、所定の試運転時間（例えば、３０分間）が経過したか否かを判断し（ステップＳ２９）、試運転時間が経過していない場合には、再び通信部３２を介してデータ送信要求を空気調和装置１に送信する（ステップＳ２１）。その後、所定の試運転時間が経過するまで、機器操作端末４はステップＳ２２〜Ｓ２９の処理を繰り返し行い、空気調和装置１はステップＳ１３〜Ｓ１６の処理を繰り返し行う。
【００５１】
したがって、機器操作端末４には、空気調和装置１からほぼ所定時間毎にデータが送信され、新しいデータが受信される前に、一つ前のデータのコード変換、コード表示、及びデータ消去が行われるようになっている。
なお、ステップＳ２７及びステップＳ２９において、所定の時間が経過したか否かの判断は、タイマー部４５において計測された時間に基づいて行われる。また、所定の時間は、オペレータ等が入力部３４を介して入力することによって任意に設定することができる。入力部３４を介して入力する時間は、表示部３５に対するコードＣの表示時間とすることもできる。
【００５２】
所定の試運転時間が経過すると、機器操作端末４の制御部３１は、通信部３２を介して空気調和装置１に試運転終了指示を送信する。また、機器操作端末４の制御部３１は、試運転が終了した旨の表示を表示部３５に行わせる。
空気調和装置１の制御部２１は、機器操作端末４から試運転終了の指示を受信すると、空気調和装置１の試運転を終了させる（ステップＳ１７）。
【００５３】
一方、情報処理端末５は、所定のアプリケーションプログラムを制御部５１が実行することによって、機器操作端末４の表示部３５に表示されるコードＣを撮像部５２によって撮像し（ステップＳ４１）、撮像したコードＣに含まれるデータを復元する（ステップＳ４２）。そして、復元されたデータを記憶部５３に記憶させる（ステップＳ４３）。なお、撮像部５２によってコードＣを撮像するため、情報処理端末５は、撮像部５２による撮像範囲内に表示部３５が入る位置に位置付けられる。また、情報処理端末５は、所定時間毎に連続的に表示部３５に表示されるコードを撮像することができるように、機器操作端末４等に対して所定位置に位置付けられた状態で保持されることが好ましい。
【００５４】
情報処理端末５の制御部５１は、コードＣを撮像してから所定の時間（例えば３０秒）が経過したか否かを判断し（ステップＳ４４）、所定時間が経過すると、さらに空気調和装置１の試運転が終了したか否かを判断し（ステップＳ４５）、試運転が終了していない場合には、再び機器操作端末４に表示された次のコードＣを撮像部５２によって撮像する（ステップＳ４１）。その後、試運転時間が経過するまで、ステップＳ４１〜ステップＳ４５の処理を繰り返し行い、記憶部５３にデータを蓄積する。なお、時間経過の判断は、情報処理端末５が備えている時計部によって計測した時間に基づいて行われる。また、試運転時間の経過は、例えば、機器操作端末４の表示部３５に表示される試運転終了表示を撮像部が撮像することによって判断してもよい。
【００５５】
情報処理端末５の制御部５１は、空気調和装置１の試運転が終了したと判断すると、記憶部５３に蓄積されたデータを読み出し、解析処理を実行する（ステップＳ４６）。解析結果は、適宜表示部５４に表示され、ユーザーによる運転状態の把握等のために用いられる。
【００５６】
以上のように、機器操作端末４は、試運転が開始すると、空気調和装置１から運転状態データを所定時間毎に受信し、そのデータを所定のコードに変換し、表示部３５に表示させる。一方、情報処理端末５は、表示部３５に表示されたデータを撮像部５２で撮像して元のデータに復元し、そのデータを記憶部５３に記憶（蓄積）する。機器操作端末４は、表示部３５に表示したコードに係るデータを記憶部３３から消去した後に、次のデータを空気調和装置１から受信して再び記憶部３３に記憶する。したがって、記憶部３３には、常に新しいデータのみが記憶されることになるため、記憶部３３の容量を可及的に小さくすることができる。
【００５７】
一方、情報処理端末５は、機器操作端末４の表示部３５に所定時間毎に表示されるコードを撮像し、元のデータに復元して記憶部５３に記憶する。情報処理端末５は、比較的大きな記憶部５３を有しているので、多くのデータを蓄積することが可能である。また、多くのデータを蓄積することで、過去の運転状態を容易に把握することができる。
【００５８】
［情報処理システムの変形例］
以下、情報処理システムの変形例について説明する。
（１）機器操作端末４の記憶部３３は、その容量の許す限りにおいて、所定時間毎に空気調和装置１から送信される複数（複数回分）のデータを記憶してもよい。この場合、新しいデータを記憶する前に、記憶部３３に記憶されている最も古いデータから消去する。このように記憶部３３に複数回分のデータを記憶させた場合、例えば、情報処理端末５において、コードの撮像が遅れた場合等に、過去のデータに係るコードを再表示して撮像することが可能となる。なお、この場合、記憶部３３に記憶させておくデータは、コードに変換した状態のものであってもよいし、コードに変換する前の状態（空気調和装置１から受信したままの状態）であってもよい。
【００５９】
（２）上記実施形態では、空気調和装置１の試運転の際に測定したデータを機器操作端末４において所定時間毎に受信し、所定のコードに変換して表示部３５に表示させていたが、試運転以外の通常の運転を行っているときにも同様の動作を行うことができる。この場合、空気調和装置１からデータが受信される度にコードに変換して表示する態様の他、ユーザーが機器操作端末４に表示の指示を入力したときのみにデータをコードに変換し、表示部３５に表示させることもできる。また、複数回分のデータを記憶部３３に記憶可能である場合には、ユーザーが必要なときに複数回分のデータをそれぞれコードに変換し、順次表示部３５に表示させてもよい。この場合、過去、複数回分のデータを取得することができるので、異常運転が発生したときに、そのときの運転状態データを遡って確認することができる。
【００６０】
（３）また、通常の運転中、常に測定されているデータを所定時間毎に機器操作端末４に送信する態様の他、現時点の運転状態等を知りたいときにユーザーが機器操作端末４にデータ送信の指示を入力し、空気調和装置１からデータを受信してコードへの変換及び表示部３５への表示を行わせることも可能である。
【００６１】
（４）機器操作端末４は、空気調和装置１が通常の運転を行っているときに、所定のスケジュールに基づいて定期的（所定時間毎）に空気調和装置１からデータを受信し、複数回分のデータを記憶部３３に記憶することもできる。例えば、機器操作端末４に７回分のデータを記憶させることができる場合、１日に１回、所定の時刻に空気調和装置１からデータを受信し、１週間分のデータを記憶部３３に記憶させることができる。そして、記憶部３３に記憶させたデータを取り出すときには、空気調和装置１からデータを受信して記憶する度に表示部３５に表示する態様の他、記憶部３３に蓄積された１週間分のデータを、日毎に順次コードに変換して表示部３５に表示させ、情報処理端末５の撮像部５２で順次撮像して取り込むことができる。
【００６２】
（５）機器操作端末４の記憶部３３に複数回分のデータを記憶させることができる場合、通常の運転中、異常が発生したときの運転状態データ又はその前の運転状態データを消去せずに記憶部３３に保持しておくこともできる。この場合、異常発生に関連する運転状態を事後的に把握することができ、異常発生の原因等の究明に役立てることができる。
【００６３】
（６）図５に示すフローチャートにおいて、試運転は、機器操作端末４に対して開始指示の入力を行うことによって開始していたが、機器１（室外機２又は室内機３）に対して開始指示の入力を行うことによって開始してもよい。同様に、試運転は、機器１側において時間を計測することによって終了してもよい。
【００６４】
（７）上記実施形態では、機器１が空気調和装置である場合について説明したが、機器１は、空気清浄装置、調湿装置等、給湯装置等の設備機器、調理器、洗濯機等の家電機器等であってもよい。
【００６５】
（８）機器１は、機器操作端末が有する制御部（第１の制御部）３１、記憶部３３、入力部３４、及び表示部３５が一体に備わったものであってもよい。
【００６６】
（９）機器操作端末４と情報処理端末５とは、無線又は有線によって通信可能に接続されていてもよい。この場合、情報処理端末５は、機器操作端末４の表示部３５に表示されたコードＣの読み取りが完了した旨の完了情報を送信する送信部（通信部）を備え、機器操作端末４は、完了情報を受信する受信部（通信部）を備えることができる。そして、機器操作端末４の制御部３１は、完了情報を受信したことを契機として、表示部３５への当該コードＣの表示を終了させることができる。このように構成することによって、情報処理端末５で確実にコードＣを読み取らせることが可能となる。なお、機器操作端末４と情報処理端末５との通信には、例えばＮＦＣ（近距離無線通信技術）を採用することができる。
【００６７】
本発明は、上記実施形態及び変形例に限定されるものではなく、特許請求の範囲に記載された範囲内において種々変更することが可能である。
【符号の説明】
【００６８】
１      ：空気調和装置（機器）
４      ：機器操作端末
５      ：情報処理端末
３１    ：制御部（第１の制御部）
３２    ：通信部（受信部）
３３    ：記憶部
３４    ：入力部
３５    ：表示部
５１    ：制御部（第２の制御部）
５２    ：撮像部
５３    ：記憶部
Ｃ      ：コード
【図１】
2018107657.tif 000003
【図２】
2018107657.tif 000004
【図３】
2018107657.tif 000005
【図４】
2018107657.tif 000006
【図５】
2018107657.tif 000007